(57)【特許請求の範囲】
【請求項１】
ボックス本体の側壁部に、配線材を収納する配線用保護カバーの端部が挿入されて接続される接続口が、前記ボックス本体の底壁部側に開口して設けられ、壁表に露出設置される配線用ボックスと、
基台に蓋体が覆蓋されて、内部に配線材が収容され、前記配線用ボックスの接続口に端部が挿入される配線用保護カバーと、
から成る配線用ボックス装置であって、
前記配線用ボックスの接続口は、前記ボックス本体の隣接する２つの側壁部の境界となっている角部を含んで、当該隣接する２つの側壁部に亘って連続して形成され、
前記配線用保護カバーの挿入方向からみて、前記接続口の前記ボックス本体の周方向に沿った長さである幅は、前記配線用保護カバーの幅に対応していて、
当該接続口の周縁の一部を形成していて、当該配線用保護カバーの挿入方向から視認される側壁部の端面は、当該配線用保護カバーを構成する少なくとも蓋体の端面が当接する当接端面となっていて、
前記配線用ボックスの接続口に前記配線用保護カバーの端部が挿入された状態において、当該配線用保護カバーを構成する少なくとも蓋体の端面は、前記当接端面に当接して、当該当接端面を超えて配線用ボックスの内部に入り込まない構成になっていることを特徴とする配線用ボックス装置。
【発明の詳細な説明】
【技術分野】
【０００１】
本発明は、ボックス本体の側壁部に、配線材が収納される配線用保護カバーの端部が挿入されて接続される接続口が前記ボックス本体の底壁部側に開口して設けられ、壁表に露出設置される配線用ボックス装置に関するものである。
【背景技術】
【０００２】
配線用ボックス（以下、単に「ボックス」と略すこともある）には、大別して壁内に設置されるものと、壁外に露出状態で設置されるものとがある。ボックスの大部分は前者のものであるが、建物の施工後においてコンセントを増設したい場合には、壁外に露出した状態でボックスが設置される。ここで、建物の施工後においてコンセントを増設するために、壁外にボックスを設置する形態には、新たにコンセントが必要な部分にボックスを設置する形態（独立設置形態）と、壁内の既設ボックスの上に更に別のボックスを重ね合わせて壁外に設置する形態（重ね合せ設置形態）とがある。後者の「重ね合せ設置形態」の場合には、例えば特許文献１に示されるように、既設ボックスからケーブルが引き出されて、壁外に重ねて設置されたボックスから、増設用のコンセントが設けられる別のボックスまでの間にケーブルが壁面に沿って敷設され、壁面に沿った当該ケーブルは、配線用保護カバー（以下、単に「保護カバー」と略すこともある）内に収納される。なお、前者の「独立設置形態」においても、壁面に沿って配線されてボックス内に引き込まれるケーブルは、同様に保護カバー内に収納される。
【０００３】
特許文献１に記載のボックスは、ボックス本体を構成する４つの側壁部のうち、特定の側壁部における周方向に沿った中央部に底壁部側に開口した接続口が形成され、当該接続口に保護カバーの端部を挿入して接続する構成である。このため、壁内の既設ボックスが壁際等の入隅部に設置されている場合には、図１６に示されるように、当該既設ボックスの上に重ねて設置されたボックスが壁際等の側壁面に密着又は近接して設置できても、既設ボックスに重ねられたボックスに接続される保護カバーは、壁際等の側壁面に密着又は近接して設置できない。この結果、壁際等の側壁面と保護カバーとの間に所定の隙間８１が発生し、この隙間８１が壁際等の美観を損ねていた。
【特許文献１】特開２００４−２０１４６９号公報
【発明の開示】
【発明が解決しようとする課題】
【０００４】
本発明は、壁際等において、コンセントの増設のためのボックスを壁表に露出させて設置する場合に、内部に配線材が収納される保護カバーの端部をボックス本体の接続口に挿入した状態で、当該保護カバーを構成する少なくとも蓋体の端面が規制されて、ボックス本体の内部に入り込まないようにすることを課題としている。
【課題を解決するための手段】
【０００５】
上記課題を解決するための請求項１の発明は、ボックス本体の側壁部に、配線材を収納する配線用保護カバーの端部が挿入されて接続される接続口が、前記ボックス本体の底壁部側に開口して設けられ、壁表に露出設置される配線用ボックスと、基台に蓋体が覆蓋されて、内部に配線材が収容され、前記配線用ボックスの接続口に端部が挿入される配線用保護カバーとから成る配線用ボックス装置であって、前記配線用ボックスの接続口は、前記ボックス本体の隣接する２つの側壁部の境界となっている角部を含んで、当該隣接する２つの側壁部に亘って連続して形成され、前記配線用保護カバーの挿入方向からみて、前記接続口の前記ボックス本体の周方向に沿った長さである幅は、前記配線用保護カバーの幅に対応していて、当該接続口の周縁の一部を形成していて、当該配線用保護カバーの挿入方向から視認される側壁部の端面は、当該配線用保護カバーを構成する少なくとも蓋体の端面が当接する当接端面となっていて、前記配線用ボックスの接続口に前記配線用保護カバーの端部が挿入された状態において、当該配線用保護カバーを構成する少なくとも蓋体の端面は、前記当接端面に当接して、当該当接端面を超えて配線用ボックスの内部に入り込まない構成になっていることを特徴としている。
【０００６】
請求項１の発明では、保護カバーの端部を挿入して接続する接続口は、ボックス本体の隣接する２つの側壁部の境界となっている角部を含んで、当該隣接する２つの側壁部に亘って連続して形成されているため、ボックスを建物の壁際等の入隅部を形成する一方の壁面に設置する場合には、ボックス本体の側壁部に形成された前記接続口に保護カバーの端部を挿入することにより、当該保護カバーを前記入隅部を形成する他方の壁面（側壁面）等との間に隙間が殆どない状態で、当該保護カバーを前記他方の壁面（側壁面）等に沿って設置できる。このように、入隅部を形成する他方の壁面（側壁面）等との間に殆ど隙間のない状態で保護カバーを設置できるので、保護カバーの設置状態の見栄えがよくなる。また、前記接続口の幅は、配線用保護カバーの幅に対応しているため、ボックス本体の接続口に対して配線用保護カバーの端部を挿入すると、当該配線用保護カバーを構成する少なくとも蓋体の挿入側の端面は、ボックス本体の前記接続口の当接端面に当接して、ボックス本体に対する配線用保護カバーの端部の挿入長が定められて、当該端部の挿入状態が安定する。
【０００７】
【０００８】
【０００９】
【００１０】
【００１１】
【００１２】
【００１３】
【００１４】
【発明の効果】
【００１５】
本発明は、保護カバーの端部を挿入して接続する接続口は、ボックス本体の隣接する２つの側壁部の境界となっている角部を含んで、当該隣接する２つの側壁部に亘って連続して形成されているため、ボックスを建物の壁際等の入隅部を形成する一方の壁面に設置する場合には、ボックス本体の側壁部に形成された前記接続口に保護カバーの端部を挿入することにより、当該保護カバーを前記入隅部を形成する他方の壁面（側壁面）等との間に隙間が殆どない状態で、当該保護カバーを前記他方の壁面（側壁面）等に沿って設置できる。このように、入隅部を形成する他方の壁面（側壁面）等との間に殆ど隙間のない状態で保護カバーを設置できるので、保護カバーの設置状態の見栄えがよくなる。また、前記接続口の幅は、配線用保護カバーの幅に対応しているため、ボックス本体の接続口に対して配線用保護カバーの端部を挿入すると、当該配線用保護カバーを構成する少なくとも蓋体の挿入側の端面は、ボックス本体の前記接続口の当接端面に当接して、ボックス本体に対する配線用保護カバーの端部の挿入長が定められて、当該端部の挿入状態が安定する。
【発明を実施するための最良の形態】
【００１６】
以下、複数の実施形態を挙げて本発明について更に詳細に説明する。
【実施例１】
【００１７】
図１は、本発明に係るボックスＢ1 、配線器具Ａが取付けられた配線器具取付枠Ｆ、化粧プレート取付枠Ｅ及び化粧プレートＤの分解斜視図であり、図２は、ボックス本体１０と、当該ボックス本体１０に取付けられる枠取付体Ｇの分解斜視図であり、図３は、ボックスＢ1 を背面側から見た斜視図であり、図４（ａ），（ｂ）は、それぞれ図３のＸ1 −Ｘ1 線及びＸ2 −Ｘ2 線の拡大断面図であり、図５（ａ），（ｂ）は、ボックス本体１０の閉塞板部３４を２回に分けて切断する状況を示す斜視図であり、図６は、各壁体Ｗ1,Ｗ2 の入隅部において壁体Ｗ2 に近接して壁体Ｗ1 内に埋設された既設ボックスＢ0 に重ねて本発明に係るボックスＢ1 を取付ける途中の状態を示す断面図であり、図７は、既設ボックスＢ0 に重ねて取付けられた本発明に係るボックスＢ1 に配線器具取付枠Ｆを介して配線器具Ａが取付けられた状態の断面図であり、図８は、図７のＹ−Ｙ線断面図であり、図９は、本発明に係るボックスＢ1 に端部が挿入接続された保護カバーＣ1 が壁面Ｗ2 に近接して設置された状態の斜視図である。
【００１８】
最初に、図１ないし図５を参照して、本発明に係るボックスＢ1 について説明し、その後に、このボックスＢ1 を壁体Ｗ1 内に設置された既設のボックスＢ0 の上に重ねて取付けて（固定して）、増設ケーブルＫ0 を配線する方法について説明する。ボックス本体１０は、その正面視において、方形状をした前面開口２の中心に対して点対称形状であって、ボックス本体１０の前面は、その上下端部が横方向に沿って閉塞板部１で部分的に閉塞されて、残りの大部分は、方形状の前面開口２となっている。上下の各閉塞板部１は、ボックス本体１０の前端面と同一面となっており、前面開口２に臨む部分を除く残りの部分は、ボックス本体１０を構成する横側壁部５a1, ５a2, 及び縦側壁部５b1, ５b2と一体に連結されているので、ボックス本体１０に対する取付強度が大きい。ボックス本体１０の底壁部３の上下端部（前記各閉塞板部１の背面部）は、前記閉塞板部１の幅に対応する幅だけ切り欠かれて、それぞれ底面開口４となっている。横側壁部５a1, ５a2と縦側壁部５b1, ５b2との境界部である計４つの各角部（コーナー部）６は、わん曲して形成されている。
【００１９】
また、ボックス本体１０の底壁部３の上下端部には、一つの中央ビス挿通孔７と、一対の側部ビス挿通孔８との計３個のビス挿通孔が横方向に沿ってそれぞれ形成されている。よって、ボックス本体１０の底壁部３には、計６個のビス挿通孔７，８が開けられて、図６に示されるように、いずれかのビス挿通孔７，８にビス１１を螺入して、ボックス本体１０を壁面に固定する構成になっている。また、前記「重ね合せ設置形態」でボックス本体１０を壁外に設置する場合に、既設のボックスＢ0 から壁外に既配線ケーブルＫ及び増設ケーブルＫ0 を引き出し可能とするために、ボックス本体１０の底壁部３には、この方形状の底壁部３と略相似小形の折取スリット１２が周方向に沿って部分的に断続して形成され、前記折取スリット１２の部分を打ち抜くことにより、背面の既設のボックスＢ0 の開口と接続するケーブル挿通開口１３（図６ないし図９参照）が形成される。
【００２０】
また、ボックス本体１０の前面開口２の上下一体形成された各閉塞板部１の裏面側であって、しかも横方向の中央位置には、断面略Ｔ字状をした短レール体１４が以下の方向に沿って一体に形成されている。即ち、短レール体１４は、ボックス本体１０を固定するビス１１の螺入方向Ｐと直交し、しかもボックス本体１０に各枠取付体Ｇを取付けた状態で、その各螺子孔２４ａを結ぶ線分の方向Ｑに沿って、ボックス本体１０に一体に形成されている。また、上下の各閉塞板部１には、ボックス本体１０の前面開口２の中心に対して点対称位置にそれぞれ１個の位置決め突起１５が前方に突出して形成されている。この位置決め突起１５は、図９に示されるように、ボックスＢ1 に対して配線器具取付枠Ｆを正規の位置に位置決めして取付けるための部材である。なお、図２において、１７は、ボックスＢ1 の射出成形時において、閉塞板部１の裏面側の短レール体１４のアンダーカット部の成形を可能にするために使用するスライド型（中子型）の成形孔を示し、ボックスとしての機能には無関係である。
【００２１】
また、図１及び図２において、ボックス本体１０に配線器具取付枠Ｆを取付けるための枠取付体Ｇは、前記短レール体１４に嵌合されるあり溝２１が形成されたあり溝形成部２２と、奥部にナット体２３が埋設された螺子孔形成部２４とが一体に形成されて、前記あり溝２１及び螺子孔２４ａが形成された手前側の面には、閉塞板部１における前記短レール体１４が形成されている部分の板厚と同一の段差量を有する段差面２５が形成された構成である。このため、ボックス本体１０の前面開口２の内部の短レール体１４の延長線上に枠取付体Ｇを配置して、当該枠取付体Ｇのあり溝２１に短レール体１４を挿入した状態で、枠取付体Ｇを矢印Ｑの方向にスライドさせると、枠取付体Ｇの段差面２５がボックス本体１０の閉塞板部１の端面に当接して、螺子孔２４ａが手前側に向いた状態で、上下一対の各短レール体１４にそれぞれ枠取付体Ｇが嵌着される（図１参照）。
【００２２】
また、図１ないし図４に示されるように、各横側壁部５a1, ５a2のボックス本体１０の周方向の中央部における前記底壁部３の側には、建物壁の壁面に沿って配設されるサイズの大きな保護カバーＣ1 （図５ないし図７参照）の端部を接続させるための第１接続口３１が底壁部３の側に開口してそれぞれ設けられている。第１接続口３１には閉塞板３２が嵌着されて、ボックス本体１０に対して保護カバーＣ1 を接続する際に、取り外すようになっている。
【００２３】
また、図２ないし図４に示されているように、ボックス本体１０を構成する各横側壁部５a1, ５a2及び各縦側壁部５b1, ５b2の境界部である４つの角部６のうち、上下方向に沿って隣接する２つの角部６の部分は、当該角部６を含んで隣接する２つの側壁部５a1, ５b1 (５a2, ５b1) に亘って第２接続口３３が形成可能なように、切断可能な閉塞板部３４で閉塞されている。前記閉塞板部３４は、内面に段差が形成されるように、ボックス本体１０の各横側壁部５a1, ５a2及び各縦側壁部５b1, ５b2の肉厚よりも薄肉に形成され、当該閉塞板部３４の内面には、幅方向の両端部に第１切断溝Ｖ1 がそれぞれ奥行方向に形成されていると共に、ボックス本体１０の角部６に対応する部分に第２切断溝Ｖ2 が同方向に形成され、更に横側壁部５a1, ５a2に形成された第１切断溝Ｖ1 の内側に所定幅をおいて第３切断溝Ｖ3 が形成されている。閉塞板部３４の幅方向の両端部の各第１切断溝Ｖ1 の部分で当該閉塞板部３４の全体を切除すると、大きなサイズの保護カバーＣ1 の端部を挿入可能な第２接続口３３が形成されると共に、縦側壁部５b1に形成された第１切断溝Ｖ1 と第３切断溝Ｖ3 の部分において閉塞板部３４を切除すると、小さなサイズの保護カバーＣ2 の端部を挿入可能な別の第２接続口３３’（図１２及び図１３参照）が形成される。このため、大きなサイズの保護カバーＣ1 の端部を挿入する第２接続口３３を形成するには、図５（ａ）に示されるように、第１接続口３１に近い側の第１切断溝Ｖ1 と第２切断溝Ｖ2 の各部分で閉塞板部３４の平板状の部分である第１切断片３４ａを切断した後に、図５（ｂ）に示されるように、他方の第１切断溝Ｖ1 の部分で閉塞板部３４の残部である第２切断片３４ｂを切断すると、ボックス本体１０の角部６には、当該角部６を含んで隣接する２つの側壁部５a1, ５b1 (５a2, ５b1) に亘って第２接続口３３が形成される。このように、閉塞板部３４は、ボックス本体１０の角部６を含んで隣接する２つの側壁部５a1, ５b1 (５a2, ５b1) に亘って形成されていて、わん曲部を含んでいるために、一度の切断操作では切断が難しいが、上記のように２回に分けて切断することにより、閉塞板部３４を確実に切断して第２接続口３３を形成できる。大小の各保護カバーＣ1,Ｃ2 の端部を挿入して接続するために、上記のようにして、ボックス本体１０に第２接続口３３，３３’を形成すると、縦側壁部５b1には、保護カバーＣ1,Ｃ2 の端面が当接可能な当接端面１６が形成される。なお、図３において、１８は、別の保護カバーの接続口を形成するために、縦横の各側壁部５a1, ５a2, ５b1, ５b2に形成された切断可能な閉塞板部を示す。
【００２４】
次に、図１及び図９を参照して、配線器具Ａを取付ける配線器具取付枠Ｆ、化粧プレートＤ及び化粧プレート取付枠Ｅの取付関係について説明する。配線器具Ａを取付けるための配線器具取付枠Ｆは、ボックス本体１０の上下の各閉塞板部１の前面に当接した状態で取付けられる。配線器具Ａは、配線器具取付枠Ｆの中央の開口４１に挿入されて、配線器具取付枠Ｆの前面から所定厚だけ突出した状態で、該器具取付枠Ｆに固定状態で取付けられる。配線器具取付枠Ｆの開口４１の上方及び下方であって、横方向（幅方向）の中央部には、横方向に長孔状となったビス挿通長孔４２が形成される。このビス挿通長孔４２には、配線器具取付枠Ｆをボックス本体１０の枠取付体Ｇに固定するためのビス４３が挿通される。また、配線器具取付枠Ｆの上方のビス挿通長孔４２の直上、及び下方のビス挿通長孔４２の直下の部分は、部分的に前面側に切り起こされて、この部分にビス下孔４４が形成されている。このビス下孔４４には、化粧プレート取付枠Ｅを配線器具取付枠Ｆに固定するためのビス４５が螺入される。また、上下一対の各ビス挿通長孔４２の両側には、それぞれ位置決め孔４６が形成されている。この位置決め孔４６は、ボックス本体１０の前面に配線器具取付枠Ｆを取付ける際に、ボックス本体１０の位置決め突起１５が嵌合されて、両者の位置決めがなされる。また、化粧プレート取付枠Ｅは、方形枠状をなしていて、配線器具取付枠Ｆの一対のビス下孔４４と同一ピッチをおいて上下方向に沿って一対のビス挿通孔５１が設けられている。また、化粧プレート取付枠Ｅの四隅部には、化粧プレートＤの裏面側に突設された係合爪５２と係合される係合孔５３が形成されている。
【００２５】
次に、図６ないし図９を参照にして、各壁体Ｗ1,Ｗ2 の入隅部において壁体Ｗ2 に近接して壁体Ｗ1 内に設置（埋設）されている既設のボックスＢ0 に重ね合わせた状態で、本発明に係るボックスＢ1 を前記壁体Ｗ1 の外側に設置して、壁外の別の場所に増設するコンセントに接続される増設ケーブルＫ0 を収納するためのサイズの大きな保護カバーＣ1 を前記壁体Ｗ2 に近接して設置する施工方法について説明する。ここで、ボックスＢ1 は、各壁体Ｗ1,Ｗ2 で形成される入隅部に配置され、しかも既設ボックスＢ0 から引き出される増設ケーブルＫ0 を収納する保護カバーＣ1 を壁体Ｗ2 に近接して配置可能とするために、ボックスＢ1 の隣接する２つの角部６に設けられた各閉塞板部３４のうち、サイズの大きな前記保護カバーＣ1 を接続する側の閉塞板部３４は、上記したように切断して、第２接続口３３を開口させておく。
【００２６】
まず、既設のボックスＢ0 に取付けられている化粧プレートＤ、化粧プレート取付枠Ｅ、配線器具Ａを取付けている配線器具取付枠Ｆを取り外して、既設のボックスＢ0 の開口を壁表に臨ませる。この状態で、既設ボックスＢ0 に接続されている電線管６１に増設用のケーブルＫ0 を挿通して、既設ボックスＢ0 の開口から壁表に引き出す。この状態では、既設ボックスＢ0 に配線器具取付枠Ｆを取付けるための上下一対の螺子孔６２は、壁表に臨んで露出している。この上下一対の螺子孔６２は、既設ボックスＢ0 の幅方向の中央に設けられて、既設ボックスＢ0 の上に本発明に係るボックスＢ1 を重ね合わせた状態において、枠取付体Ｇに設けられた螺子孔２４ａと略同一線上に位置している。このため、「重ね合せ設置形態」においては、ボックスＢ1 の底壁部３に設けられた中央ビス挿通孔７に挿通されたビス１１を、既設ボックスＢ0 の螺子孔６２に螺入して、既設ボックスＢ0 に重ねてボックスＢ1 を取付ける際に、ボックスＢ1 の枠取付体Ｇが障害となる。このため、ボックス本体１０から上下一対の枠取付体Ｇを取り外した状態で、ドライバー２０を使用して、ボックス本体１０の底壁部３の中央ビス挿通孔７に挿通したビス１１を、壁体Ｗ1 内に設置された既設ボックスＢ0 の螺子孔６２に螺合することにより、前記既設ボックスＢ0 の上に本発明に係るボックスＢ1 を重ね合わせて取付け、その後に、ボックスＢ1 の上下一対の短レール体１４に枠取付体Ｇをそれぞれ嵌着させる。ボックス本体１０に一対の枠取付体Ｇを嵌着させるのは、既設ボックスＢ0 に重ねて配置されたボックスＢ1 を当該既設ボックスＢ0 に固定した後に行うことが望ましい。
【００２７】
ここで、既設ボックスＢ0 に重ねて壁表にボックスＢ1 を設置する際に、図７ないし図９に示されるように、既設ボックスＢ0 からケーブル挿通開口１３を通ってボックスＢ1 内に引き出された増設ケーブルＫ0 を収納する保護カバーＣ1 の端部をボックスＢ1 の第２接続口３３に挿入して、当該保護カバーＣ1 を壁体Ｗ2 に近接させて配置できるようにする。即ち、既設ボックスＢ0 に対してボックスＢ1 をビス１１により固定する前に、前記増設ケーブルＫ0 を保護カバーＣ1 内に収納した状態で、当該保護カバーＣ1 の端部をボックスＢ1 の第２接続口３３に挿入して、ボックス本体１０の閉塞板部３４を切除することにより、縦側壁部５b1の部分に形成された当接端面１６に前記保護カバーＣ1 の端面を当接させ、この状態で、ボックスＢ1 を既設ボックスＢ0 に対してビス１１により固定することが施工上望ましい。保護カバーＣ1 は、壁表に固定される基台（ベース）６３と、これに覆い被せられる蓋体（カバー）６４とで構成される。
【００２８】
次に、壁表に露出して取付けられたボックス本体１０の前面開口２内に枠取付体Ｇを配置して、ボックス本体１０の上下の各閉塞板部１の裏面に取付けられた各短レール体１４に対して各枠取付体Ｇを矢印Ｑに沿ってスライドさせて、短レール体１４に対して枠取付体Ｇを嵌着させる（図１参照）。そして、図６に示されるようにして、ケーブルＫに接続された状態で壁表に取り出されていた配線器具Ａを取付けている配線器具取付枠Ｆを、ボックス本体１０の上下の各閉塞板部１の前面に当接させて、ビス挿通長孔４２に挿通されたビス４３を枠取付体Ｇの螺子孔２４ａの奥部に埋設されたナット体２３に螺入させると、配線器具Ａを取付けている配線器具取付枠Ｆがボックス本体１の開口面に取付けられる。このようにして、ボックス本体１０に配線器具取付枠Ｆが取付けられることにより、各枠取付体Ｇは、配線器具取付枠Ｆに対して矢印Ｐ方向に移動できなくなると共に、ボックス本体１０の手前側に抜け出なくなる（図９参照）。なお、ボックス本体１０の前面に配線器具取付枠Ｆを取付ける際には、上下に一対ずつ形成された位置決め孔４６のうち対角線方向の２個の位置決め孔４６に、ボックス本体１０の位置決め突起１５を嵌合させることにより、ボックス本体１０に対する配線器具取付枠Ｆの位置決めを行う。
【００２９】
最後に、配線器具取付枠Ｆの前面に上下２本のビス４５を介して化粧プレート取付枠Ｅを取付け、該化粧プレート取付枠Ｅの前面に化粧プレートＤを取付けると、既設ボックスＢ0 に重ね合わせられた状態で、本発明に係るボックスＢ1 が壁体Ｗ1 の壁表に露出した状態で設置される。
【００３０】
このように、本発明のボックスＢ1 は、ボックス本体１０を構成する一組の横側壁部５a1, ５a2と一組の縦側壁部５b1, ５b2との計４つの側壁部の境界である４つの角部６のうち縦方向に隣接する２つの角部６は、切断により第２接続口３３が形成される閉塞板部３４で覆われているので、閉塞板部３４で覆われた２つの角部６の一方を切断して第２接続口３３を開口させて、増設ケーブルＫ0 を収納した保護カバーＣ1 の端部をボックス本体１０の前記第２接続口３３に挿入して、当該ボックス本体１０の上方に保護カバーＣ1 を接続できる。このため、図８及び図１０（ａ）に示されるように、壁体Ｗ1 における一方の壁際（入隅部）において壁内に既設ボックスＢ0 が設置されて、当該既設ボックスＢ0 に重ねて設置したボックスＢ1 に接続された保護カバーＣ1 は、当該保護カバーＣ1 の一方の側面がボックス本体１０の縦側壁部５b1の外側面とぼほ同一面となって、壁体Ｗ2 に密着して設置されて、当該壁体Ｗ2 との間に隙間が発生しなくなる。この結果、壁際において露出設置されたボックスＢ1 に接続されて、同じく露出設置された保護カバーＣ1 の壁際における設置状態が良好となって、壁際における美観が損なわれなくなる。
【００３１】
一方、同一の壁体Ｗ1 の他方の壁際にボックスＢ1 を露出設置する場合には、図１０（ｂ）に示されるように、当該ボックスＢ1 を上下反転させると、縦方向に沿って隣接している他方の第２接続口３３を開口できる結果、他方の壁際である壁体Ｗ3 に近接させて保護カバーＣ1 をボックスＢ1 の上方に接続して設置できて、同様に壁際における美観が損なわれなくなる。また、図１１（ａ），（ｂ）に示されるように、壁体Ｗ2 に近接する一方の壁際において、ボックスＢ1 の上下配置をそのままにして、ボックスＢ1 の上方及び下方のいずれにも保護カバーＣ1 を壁際に近接させて接続できる。
【実施例２】
【００３２】
次に、図１２ないし図１４を参照して、本発明に係る別のボックスＢ2 について説明する。図１２は、本発明に係る別のボックスＢ2 を背面側から見た斜視図であり、図１３は、ボックスＢ2 にサイズの小さな保護カバーＣ2 を接続した状態における図７のＹ−Ｙ線断面図であり、図１４は、ボックスＢ2 に対する保護カバーＣ2 の異なる接続形態を示す図である。実施例１のボックスＢ1 は、ボックス本体１０を構成する一組の横側壁部５a1, ５a2と一組の縦側壁部５b1, ５b2との計４つの各側壁部の境界部である４つの角部６のうち縦方向に隣接する２つの角部６が、切断により第２接続口３３が形成される閉塞板部３４で覆われた構成であるのに対して、実施例２のボックスＢ2 は、４つの角部６のうち横方向に隣接する２つの角部６が、切断により第２接続口３３が形成される閉塞板部３４で覆われた構成である。
【００３３】
また、図１２及び図１３には、小さなサイズの保護カバーＣ2 がボックス本体１０に接続される例であって、閉塞板部３４の裏面に形成された縦側壁部５b1, ５b2の側の第１切断溝Ｖ1 と横側壁部５a1に形成された第３切断溝Ｖ3 とで当該閉塞板部３４を切断して、第２接続口３３’を形成して、当該第２接続口３３’に小さなサイズの保護カバーＣ2 を挿入して、当該保護カバーＣ2 の端面をボックス本体１０の縦側壁部５b1, ５b2に形成された当接端面１６に当接させて、ボックス本体１０に保護カバーＣ2 を接続する。なお、図１２において、３４ｃは、第２接続口３３’を形成するために閉塞板部３４を切断した切断片を示す。
【００３４】
このように、ボックスＢ2 は、４つの角部６のうち横方向に隣接する２つの角部６が、切断により第２接続口３３が形成される閉塞板部３４で覆われた構成であるため、図１４（ａ），（ｂ）に示されるように、ボックスＢ2 を上下反転させることなく、壁体Ｗ1 の左右の両側の壁際において、当該ボックスＢ2 に対して保護カバーＣ2 を壁際に近接させて設置できる。
【００３５】
また、壁体Ｗ1 の壁際を除く部分にボックスＢ1(Ｂ2)を設置する場合には、図１５に示されるように、ボックス本体１０の側壁部５a1 (５a2) の周方向に沿った中央部の第１接続口３１を使用して保護カバーＣ1 を接続することができる。このように、ボックスＢ1(Ｂ2)には、ボックス本体１０の側壁部５a1，５a2における周方向の中央部に第１接続口３１が形成されていると共に、ボックス本体１０の各角部６を含む部分に第２接続口３３が形成されているため、ボックスＢ1(Ｂ2)の設置位置に応じて、第１及び第２の各接続口３１，３３を自在に使い分けることができる。
【００３６】
また、上記実施例１では、壁内に設置された既設ボックスＢ0 の上に本発明に係るボックスＢ1 を設置する「重ね合せ設置形態」について説明したが、新たにコンセントが必要となった部分に独立してボックスを設置する「独立設置形態」で使用することも勿論可能である。
【図面の簡単な説明】
【００３７】
【図１】本発明に係るボックスＢ1 、配線器具Ａが取付けられた配線器具取付枠Ｆ、化粧プレート取付枠Ｅ及び化粧プレートＤの分解斜視図である。
【図２】ボックス本体１０と、当該ボックス本体１０に取付けられる枠取付体Ｇの分解斜視図である。
【図３】ボックスＢ1 を背面側から見た斜視図である。
【図４】（ａ），（ｂ）は、それぞれ図３のＸ1 −Ｘ1 線及びＸ2 −Ｘ2 線の拡大断面図である。
【図５】（ａ），（ｂ）は、ボックス本体１０の閉塞板部３４を２回に分けて切断する状況を示す斜視図である。
【図６】各壁体Ｗ1,Ｗ2 の入隅部において壁体Ｗ2 に近接して壁体Ｗ1 内に埋設された既設ボックスＢ0 に重ねて本発明に係るボックスＢ1 を取付ける途中の状態を示す断面図である。
【図７】既設ボックスＢ0 に重ねて取付けられた本発明に係るボックスＢ1 に配線器具取付枠Ｆを介して配線器具Ａが取付けられた状態の断面図である。
【図８】図７のＹ−Ｙ線断面図である。
【図９】本発明に係るボックスＢ1 に端部が挿入接続された保護カバーＣ1 が壁体Ｗ2 に近接して設置された状態の斜視図である。
【図１０】ボックスＢ1 に対する保護カバーＣ1 の異なる接続形態を示す図である。
【図１１】ボックスＢ1 に対する保護カバーＣ1 の更に異なる接続形態を示す図である。
【図１２】本発明に係る別のボックスＢ2 を背面側から見た斜視図である。
【図１３】ボックスＢ2 にサイズの小さな保護カバーＣ2 を接続した状態における図７のＹ−Ｙ線断面図である。
【図１４】ボックスＢ2 に対する保護カバーＣ2 の異なる接続形態を示す図である。
【図１５】ボックスＢ1(Ｂ2)が壁際を除く部分に設置された場合における保護カバーＣ1 の接続形態を示す図である。
【図１６】従来のボックスＢ’に対する保護カバーＣ1 の接続形態を示す図である。
【符号の説明】
【００３８】
Ｂ1,Ｂ2 ：配線用ボックス
Ｃ1,Ｃ2 ：配線用保護カバー
Ｋ：既配線ケーブル
Ｋ0 ：増設ケーブル
Ｖ2 ：第２切断溝（切断溝）
Ｗ1,Ｗ2,Ｗ3 ：壁体
３：底壁部
５a1, ５a2：横側壁部（側壁部）
５b1, ５b2：縦側壁部（側壁部）
６：角部
１０：ボックス本体
１６：当接端面
３１：第１接続口
３３，３３’：第２接続口
３４：閉塞板部
【図１】
0005079426.tif 000002
【図２】
0005079426.tif 000003
【図３】
0005079426.tif 000004
【図４】
0005079426.tif 000005
【図５】
0005079426.tif 000006
【図６】
0005079426.tif 000007
【図７】
0005079426.tif 000008
【図８】
0005079426.tif 000009
【図９】
0005079426.tif 000010
【図１０】
0005079426.tif 000011
【図１１】
0005079426.tif 000012
【図１２】
0005079426.tif 000013
【図１３】
0005079426.tif 000014
【図１４】
0005079426.tif 000015
【図１５】
0005079426.tif 000016
【図１６】
0005079426.tif 000017